(57)【要約】      （修正有）【課題】お湯をカップに注いだ後、茶の葉等は適当な時間抽出されて、抽出しすぎて味が悪くなる問題を改善するフィルター付きカップの構造を提供する。【解決手段】フィルター付きカップの構造は、カップ２、浮動フィルターカップ３、及び、可動取っ手４からなる。カップは筒状で、浮動フィルターカップは容置空間を定義するフィルターカップで、フィルターカップの下方に一体のカバー３２を形成し、カバーとカップ内壁はスリットを有し、カバーが液体に浸されて浮力作用を生成し、浮動フィルターカップは上昇効果を形成し、液体がスリットを通過する緩慢な速度により、浮動フィルターカップの浮力が平衡になるまで緩慢に上昇する。【選択図】図２
0003141066.tif 000002
【実用新案登録請求の範囲】
【請求項１】
フィルター付きマグカップであって、カップからなり、前記カップは筒状で、その特徴は、更に浮動フィルターカップと可動取っ手を有し、前記カップ体の口は嵌座を凹設し、前記浮動フィルターカップは容置空間を定義し、前記フィルターカップ下方に一体のカバーを形成し、前記カバーは下向けで、前記カバーと前記カップ内壁はスリットを有し、前記可動取っ手は、取っ手と固定素子を有し、前記取っ手は水平部を有し、前記固定素子は前記水平部上に設置され、両者は相対滑動し、且つ、脱出しないことを特徴とする、フィルター付きマグカップ。
【請求項２】
前記浮動フィルターカップの高さは、前記カップの嵌座より少し低いことを特徴とする、請求項１に記載のフィルター付きマグカップ。
【請求項３】
前記カバー周縁は、数個の平均的に設置された凸リブを有することを特徴とする、請求項１に記載のフィルター付きマグカップ。
【請求項４】
前記カップ壁は下向きにスカート部を延伸し、バルブが前記スカート部空間のカップ底部中央位置に位置することを特徴とする、請求項１に記載のフィルター付きマグカップ。
【考案の詳細な説明】
【技術分野】
【０００１】
本考案はフィルター付きカップの構造に関し、特に、フィルター自動上昇効果を有し、ティーバッグや茶の葉等が長時間浸るのを防止し、適当な濃度を濾し出すカップ構造に関する。
【背景技術】
【０００２】
図１で示されるように、公知のフィルター付きのマグカップは、少なくとも、外カップ１０、及び、フィルターカップ１１からなる。フィルターカップ１１は外に少し突出したカップ縁１１１を有し、フィルター１１カップ体はティーバックやお茶の葉を濾すろ過孔１１２を有する。使用時、茶の葉をフィルターカップ１１中に入れ、その後、お湯を適量入れ、フィルターカップ１１中で浸し、フィルター孔１１２によりお湯中に抽出される。フィルターカップ１１を取り上げた後、直接飲用でき、非常に便利である。しかし、多くの使用者は、外カップ１０内にお湯を入れた後、茶の葉を浸す時間が長く、渋くなるという経験がある。
【考案の開示】
【考案が解決しようとする課題】
【０００３】
本考案は浮動フィルターカップを有し、茶の葉を適当な時間抽出させた後、お湯から離れ、お茶を抽出させすぎて、味が悪くなるのを防止するカップ構造を提供することを目的とする。
【課題を解決するための手段】
【０００４】
本考案のフィルター付きカップの構造は、カップ、浮動フィルターカップ、及び、可動取っ手からなる。カップは筒状で、浮動フィルターカップは容置空間を定義するフィルターカップで、フィルターカップの下方に一体のカバーを形成し、カバーとカップ内壁はスリットを有し、カバーが液体に浸されて浮力作用を生成し、浮動フィルターカップは上昇効果を形成し、液体がスリットを通過する緩慢な速度により、浮動フィルターカップの浮力が平衡になるまで緩慢に上昇する。
【考案の効果】
【０００５】
本考案の構造により、お茶等を抽出させすぎて、味が悪くなるのを防止することができる。
【考案を実施するための最良の形態】
【０００６】
図２、図３で示されるように、本考案の好ましい実施例において、本構造はカップ２、浮動フィルターカップ３、及び、可動取っ手４、からなる。
【０００７】
カップ２の内壁は筒状で、カップ２の口は嵌座２１を凹設し、後述の可動取っ手４を定位させる。
【０００８】
浮動フィルターカップ３は、容置空間を定義するフィルターカップ３１を有し、フィルターカップ３１下方に形成されて一体になるカバー３２を有する。浮動フィルターカップ３全体の高さはカップの嵌座２１より少し低い。フィルターカップ３１壁縁は、フィルター網３１１構造を有し、カップ２内壁と適当な距離を保持して、抽出物質を放出する。フィルターカップ３１壁縁は数個のカップ２内壁に近いリブ体３１２を有し、全体の安定性を高める。カバー３２は下向きで、カバー３２とカップ２内壁はスリット３３を有し、カバー３２周縁は数個の平均的に設置された凸リブ３２１を有し、スリット３３のギャップを一致させる。カバー３２が液体に浸される時、カバー３２内の洩れない気体により浮力を生成し、浮動カップ３全体が上昇効果を形成する。同時に、カバー３２上方の液体がスリット３３を通過する速度が緩慢で、浮動フィルターカップ３の上昇速度を緩慢にする作用を有する。本考案は、更に、蓋５を有し、蓋５はカップ２の口を蓋する以外に、浮動フィルターカップ３のコップ敷きとすることもできる。
【０００９】
可動取っ手４は取っ手４１と固定素子４２を有する。取っ手４１は水平部４１１を有し、固定素子４２は水平部４１１上に設置され、両者は相対滑移し、且つ、脱出しない。固定素子４２をカップ２の嵌座２１上に嵌合して、カップ２と結合固定する。可動取っ手４がカップ２に貼合する時、水平部４１１がカップ２内に深入し、或いは、完全に引きだす時、取っ手として使用できる。
【００１０】
図３で示されるように、上述の構造の実施時、使用者はお湯をフィルターカップに入れ、大部分のお湯は、浮動フィルターカップ３のカバー３２上方に位置し、この時、茶の葉が浸され、お湯がゆっくりとカバー３２とカップ内壁間のスリット３３を通過し、カバー３２下方の水量が増加し、カバー３２の浮力が増加し、浮動フィルターカップ３全体が、お湯が完全にカバー３２下方に流れ、平衡になるまで、ゆっくり上昇する。カバー３２は、カップ２底部から浮力平衡状態になる時、製造過程で適当な時間に制御されるので、茶の葉はこの期間に適当に浸され、美味なお茶を抽出することができる。カバー３２が浮力平衡時、茶の葉は継続して浸されないので、浸し過ぎて濃くなる問題が生じない。この他、可動取っ手４の水平部４１１は浮動フィルターカップ３の上方に位置し、よって浮動フィルターカップ３が上昇するのを阻止する。
【００１１】
図４は、本考案のもう一つの実施例図であり、本考案のカップ２、浮動フィルターカップ、及び、可動取っ手４等の構造以外に、カップ２壁は下にスカート部３４を延伸し、バルブ６がスカート部３４空間のカップ２底部中央位置に設置される。使用者はカップによりバルブ６を押さえ、カップ２内の茶がバルブ６を通過し、カップ下方から抽出液を取り出すことができる。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００１３】
【図１】公知のフィルター付きカップ構造図
【図２】本考案の好ましい実施例の分解断面図
【図３】本考案の実施例のお湯加入後の作用図
【図４】本考案のもう一つの実施例図
【符号の説明】
【００１４】
１０      外カップ
１１      フィルターカップ
１１１    カップ縁
１１２    フィルター孔
２        カップ
２１      嵌座
３        浮動フィルターカップ
３１      フィルターカップ
３１１    フィルター網
３１２    リブ
３２      カバー
３２１    凸リブ
３３      スリット
３４      スカート部
４        可動取っ手
４１      取っ手
４１１    水平部
４２      固定素子
５        蓋
６        バルブ
【図１】
0003141066.tif 000003
【図２】
0003141066.tif 000004
【図３】
0003141066.tif 000005
【図４】
0003141066.tif 000006
【手続補正書】
【提出日】平成20年2月1日(2008.2.1)
【手続補正１】
【補正対象書類名】実用新案登録請求の範囲
【補正対象項目名】全文
【補正方法】変更
【補正の内容】
【実用新案登録請求の範囲】
【請求項１】
フィルター付きマグカップであって、カップ、浮動フィルターカップおよび可動取っ手からなり、前記カップは筒状で、前記カップの口には切り欠き状の嵌座が設けられ、前記浮動フィルターカップは前記カップの収容空間に収まるようにし、前記浮動フィルターカップ下方に一体となるカバーを形成し、前記カバーは下向きで、その中に空気を保つようになっており、前記カバーと前記カップの内壁との間にはスリットを有し、前記可動取っ手は、取っ手と固定素子とを有し、前記取っ手は水平部を有し、前記固定素子は前記水平部上に設置され、両者は互いに滑って移動し、且つ、脱出しないことを特徴とするフィルター付きマグカップ。
【請求項２】
前記浮動フィルターカップの高さは、前記カップに収容したときに、前記カップの前記嵌座より少し低いことを特徴とする請求項１に記載のフィルター付きマグカップ。
【請求項３】
前記カバーの周縁には、一様に設置された複数個の凸リブを有することを特徴とする請求項１に記載のフィルター付きマグカップ。
【請求項４】
前記カップの壁を下向きに延伸してスカート部を設け、前記スカート部空間のカップ底部中央位置にバルブを設けることを特徴とする請求項１に記載のフィルター付きマグカップ。
【手続補正２】
【補正対象書類名】明細書
【補正対象項目名】全文
【補正方法】変更
【補正の内容】
【考案の詳細な説明】
【技術分野】
【０００１】
本考案は、フィルター付きカップの改良構造に関し、特に、フィルター自動上昇効果を有し、ティーバッグや茶の葉等が長時間浸るのを防止し、適当な濃度を濾し出すカップ構造に関する。
【背景技術】
【０００２】
図１で示されるように、公知のフィルター付きのマグカップは、少なくとも、外カップ１０、及び、フィルターカップ１１からなる。フィルターカップ１１は外に少し突出したカップ縁１１１を有し、フィルターカップ１１はティーバックやお茶の葉を濾すろ過孔１１２を有する。使用時、茶の葉をフィルターカップ１１中に入れ、その後、お湯を適量入れ、フィルターカップ１１中で浸し、フィルター孔１１２によりお茶がお湯中に抽出される。フィルターカップ１１を取り上げた後、直接飲用でき、非常に便利である。しかし、多くの使用者は、外カップ１０内にお湯を入れた後、茶の葉を浸す時間が長く、渋くなるという経験がある。
【考案の開示】
【考案が解決しようとする課題】
【０００３】
本考案は、浮動フィルターカップを有し、茶の葉を適当な時間抽出させた後、お湯から離れ、お茶を抽出させすぎて、味が悪くなるのを防止するカップ構造を提供することを目的とする。
【課題を解決するための手段】
【０００４】
本考案のフィルター付きカップの改良構造は、カップ、浮動フィルターカップ、及び、可動取っ手からなる。カップは筒状で、浮動フィルターカップは収容空間に収まるフィルターカップで、フィルターカップの下方に一体となるカバーを形成し、カバーとカップの内壁との間にはスリットを有している。カバーが液体に浸されて浮力作用を生じ、浮動フィルターカップは上昇効果を得て、液体がスリットを通過する緩慢な速度により、浮動フィルターカップの浮力が平衡になるまで緩慢に上昇する。
【考案の効果】
【０００５】
本考案の構造により、お茶等を抽出させすぎて、味が悪くなるのを防止することができる。
【考案を実施するための最良の形態】
【０００６】
図２、図３で示されるように、本考案の好ましい実施例において、本構造は、カップ２、浮動フィルターカップ３、及び、可動取っ手４、からなる。
【０００７】
カップ２の内壁は筒状で、カップ２の口には切り欠き状の嵌座２１を設け、後述の可動取っ手４を取り付ける。
【０００８】
浮動フィルターカップ３は、収容空間に収まるフィルターカップ３１を有し、フィルターカップ３１の下方に形成されて一体になるカバー３２を有する。浮動フィルターカップ３全体の高さはカップの嵌座２１より少し低い。フィルターカップ３１の壁縁には、フィルター網３１１構造を有し、カップ２内壁と適当な距離を保持して、抽出物質を放出する。フィルターカップ３１壁縁は数個のカップ２内壁に近いリブ体３１２を有し、全体の安定性を高める。カバー３２は下向きで、カバー３２とカップ２内壁との間にはスリット３３を有し、カバー３２周縁には数個の一様に設置された凸リブ３２１を有し、スリット３３のギャップを一様にする。カバー３２が液体に浸される時、カバー３２内の洩れない気体により浮力を生成し、浮動カップ３全体が上昇効果を生じる。同時に、カバー３２上方の液体がスリット３３を通過する速度が緩慢で、浮動フィルターカップ３の上昇速度を緩慢にする作用を有する。本考案は、更に、蓋５を有し、蓋５は、カップ２の口を蓋する以外に、浮動フィルターカップ３のコップ敷きとすることもできる。
【０００９】
可動取っ手４は取っ手４１と固定素子４２を有する。取っ手４１は水平部４１１を有し、固定素子４２は水平部４１１上に設置され、両者は互いに滑って移動し、且つ、脱出しない。固定素子４２をカップ２の嵌座２１上に嵌合して、カップ２と結合固定する。可動取っ手４がカップ２に嵌合する時、水平部４１１がカップ２内に深く入ることができ、また、完全に引きだした時、取っ手として使用できる。
【００１０】
図３で示されるように、上述の構造の実施時、使用者は、お湯をフィルターカップに入れ、大部分のお湯は、浮動フィルターカップ３のカバー３２上方に位置し、この時、茶の葉が浸され、お湯がゆっくりとカバー３２とカップ内壁間のスリット３３を通過し、カバー３２下方の水量が増加し、カバー３２の浮力が増加し、浮動フィルターカップ３全体が、お湯が完全にカバー３２下方に流れ、平衡になるまで、ゆっくり上昇する。カバー３２は、カップ２底部から浮力平衡状態になる時、お茶の製造過程で適当な時間に制御されるので、茶の葉はこの期間に適当に浸され、美味なお茶を抽出することができる。カバー３２が浮力平衡時、茶の葉は継続して浸されないので、浸し過ぎて濃くなる問題が生じない。この他、可動取っ手４の水平部４１１は浮動フィルターカップ３の上方に位置し、よって、浮動フィルターカップ３が上昇するのを阻止することもできる。
【００１１】
図４は、本考案のもう一つの実施例図であり、本考案のカップ２、浮動フィルターカップ、及び、可動取っ手４等の構造以外に、カップ２壁は下にスカート部３４を延伸し、バルブ６がスカート部３４空間のカップ２底部中央位置に設置される。使用者は、カップによりバルブ６を押さえ、カップ２内の茶がバルブ６を通過し、カップ下方から抽出液を取り出すことができる。
【００１２】
本考案では好ましい実施例を前述の通り開示したが、これらは決して本考案に限定するものではなく、当該技術を熟知する者なら誰でも、本考案の精神と領域を脱しない範囲内で各種の変更や追加ができ、従って、それらの変更、追加も本考案の保護範囲に含まれるものである。
【図面の簡単な説明】
【００１３】
【図１】公知のフィルター付きカップ構造図である。
【図２】本考案の好ましい実施例の分解断面図である。
【図３】本考案の実施例のお湯を入れた後の作用図である。
【図４】本考案のもう一つの実施例図である。
【符号の説明】
【００１４】
１０    外カップ
１１    フィルターカップ
１１１  カップ縁
１１２  フィルター孔
２      カップ
２１    嵌座
３      浮動フィルターカップ
３１    フィルターカップ
３１１  フィルター網
３１２  リブ
３２    カバー
３２１  凸リブ
３３    スリット
３４    スカート部
４     
可動取っ手
４１    取っ手
４１１  水平部
４２    固定素子
５      蓋
６      バルブ